(57)【要約】【課題】掻取部材が転写部材に接触することに起因して生じる掻取部材の損傷の発生及び転写部材の損傷の発生の少なくとも一方を遅らせることである。【解決手段】転写装置８０では、二次転写ロール８２と掻取ブレード８４とを同様の電位とすることで、二次転写ロール８２と掻取ブレード８４との間に静電力が発生するのが抑制される。このため、掻取ブレード８４が二次転写ロール８２に接触することに起因して生じる掻取ブレード８４のめくれ等の損傷の発生が遅れる。【選択図】図１
2016057394.tif 000002
【特許請求の範囲】
【請求項１】
転写電圧が印加され、像保持体に保持された画像を周回しながら記録媒体に転写する転写部材と、
導電体であり、前記転写電圧と同極性の電圧が印加されると共に、前記転写部材に接触して前記転写部材に付着した付着物を掻き取る掻取部材と、
を備える転写装置。
【請求項２】
前記掻取部材に印加される電圧の絶対値は、前記転写電圧の絶対値以下である請求項１に記載の転写装置。
【請求項３】
前記転写部材に前記転写電圧を印加する印加部材を備え、
前記印加部材が、前記転写電圧と同極性の電圧を前記掻取部材に印加する請求項１又は２に記載の転写装置。
【請求項４】
画像を保持する像保持体と、
前記像保持体が保持した画像を記録媒体の表面に転写する請求項１〜３の何れか１項に記載の転写装置と、
を備える画像形成装置。
【発明の詳細な説明】
【技術分野】
【０００１】
本発明は、転写装置、画像形成装置に関する。
【背景技術】
【０００２】
特許文献１に記載の画像形成装置は、接地される電子写真用の感光体と、電子写真用感光体の感光層に静電潜像を形成し、静電潜像上にトナーを付着させて可視像化し、トナーを印刷用シートに転写するための画像形成部と、感光体（像保持体）に先端部が当接するように配置される導電性クリーニングブレードとを有している。
【先行技術文献】
【特許文献】
【０００３】
【特許文献１】特開２００８−２９２９４２号公報
【発明の概要】
【発明が解決しようとする課題】
【０００４】
トナー画像を保持する像保持体から記録媒体にトナー画像を転写するために用いる転写部材には、転写電圧が印加される。そして、周回する像保持体と、転写電圧が印加され、像保持体と従動して周回する転写部材との間に電位差が生じることで、像保持体に保持されたトナー画像が記録媒体に転写される。さらに、周回する転写部材に接触し、転写部材に付着した付着物を掻き取る掻取部材（掻取ブレード）が設けられている。
【０００５】
ここで、従来、掻取部材は、絶縁体であり、掻取部材において転写部材と接触する部分では、誘電分極が生じていた。誘電分極が生じることで、掻取部材において転写部材と接触する部分は、静電力によって転写部材に引き付けられていた。これにより、従来の構成では、掻取部材において転写部材と接触する部分と転写部材とは、強く当たり、掻取部材又は転写部材が損傷することがあった。
【０００６】
本発明の課題は、掻取部材が転写部材に接触することに起因して生じる掻取部材の損傷の発生及び転写部材の損傷の発生の少なくとも一方を遅らせることである。
【課題を解決するための手段】
【０００７】
請求項１に係る転写装置は、転写電圧が印加され、像保持体に保持された画像を周回しながら記録媒体に転写する転写部材と、導電体であり、前記転写電圧と同極性の電圧が印加されると共に、前記転写部材に接触して前記転写部材に付着した付着物を掻き取る掻取部材と、を備えることを特徴とする。
【０００８】
請求項２に係る転写装置は、請求項１に記載の転写装置において、前記掻取部材に印加される電圧の絶対値は、前記転写電圧の絶対値以下であることを特徴とする。
【０００９】
請求項３に係る転写装置は、請求項１又は２に記載の転写装置において、前記転写部材に前記転写電圧を印加する印加部材を備え、前記印加部材が、前記転写電圧と同極性の電圧を前記掻取部材に印加することを特徴とする。
【００１０】
請求項４に係る画像形成装置は、画像を保持する像保持体と、前記像保持体が保持した画像を記録媒体の表面に転写する請求項１〜３の何れか１項に記載の転写装置と、を備えることを特徴とする。
【発明の効果】
【００１１】
請求項１の転写装置によれば、掻取部材が絶縁体である場合と比して、掻取部材が転写部材に接触することに起因して生じる掻取部材の損傷の発生及び転写部材の損傷の発生の少なくとも一方を遅らせることができる。
【００１２】
請求項２の転写装置によれば、掻取部材に印加される電圧の絶対値が、転写電圧の絶対値より大きい場合と比して、記録媒体に転写される画像の品質が低下するのを抑制することができる。
【００１３】
請求項３の転写装置によれば、掻取部材に電圧を印加するための専用の部材を備える場合と比して、部品点数を削減することができる。
【００１４】
請求項４の画像形成装置によれば、請求項１〜３の何れか１項に記載の転写装置を備えていない場合と比して、記録媒体の裏面が汚れるのを抑制することができる。
【図面の簡単な説明】
【００１５】
【図１】（Ａ）（Ｂ）本発明の実施形態に係る転写装置を示した側面図、及び拡大側面図である。
【図２】本発明の実施形態に係る転写装置の実施例、及び比較例を評価した評価結果を表で示した図面である。
【図３】本発明の実施形態に係る転写装置に備えられた掻取ブレードのめくれを示した側面図である。
【図４】本発明の実施形態に係る画像形成装置に備えられた画像形成部を示した構成図である。
【図５】本発明の実施形態に係る画像形成装置を示した概略構成図である。
【発明を実施するための形態】
【００１６】
本発明の実施形態に係る転写装置、及び画像形成装置の一例を図１〜図５に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００１７】
画像形成装置１０は、図５に示されるように、電子写真方式によりトナー画像を形成する画像形成部１２（画像形成部材の一例）と、トナー画像が形成されるシート部材Ｐ（記録媒体の一例）をシート部材Ｐの搬送経路１６に沿って搬送する複数の搬送部材（符号省略）と、を備えている。
【００１８】
また、画像形成装置１０は、トナー画像が形成されたシート部材Ｐを冷却する冷却部２０と、シート部材Ｐの湾曲を矯正する矯正部２２と、シート部材Ｐに形成された画像を検査する画像検査部２４と、を備えている。
【００１９】
さらに、画像形成装置１０は、シート部材Ｐの両面に画像を形成するために、表面に画像が形成されたシート部材Ｐを反転させて再度画像形成部１２へ向けて搬送するための反転経路２６を備えている。
【００２０】
（画像形成部）
画像形成部１２は、図５に示されるように、各色のトナー画像を夫々形成する複数のトナー画像形成部３０Ｙ、３０Ｍ、３０Ｃ、３０Ｋと、トナー画像形成部３０で形成されたトナー画像をシート部材Ｐに転写する転写部３２とを備えている。さらに、画像形成部１２は、転写部３２によってシート部材Ｐに転写されたトナー画像をシート部材Ｐに定着する定着装置３４を備えている。本実施形態では、イエロー（Ｙ）、マゼンタ（Ｍ）、シアン（Ｃ）、ブラック（Ｋ）の計４色のトナー画像形成部３０が備えられている。各図に示（Ｙ）、（Ｍ）、（Ｃ）、（Ｋ）は、各色を示している。
【００２１】
そして、各色のトナー画像形成部３０Ｙ、３０Ｍ、３０Ｃ、３０Ｋは、転写部３２に備えられた周回する転写ベルト５０に沿って配置され、転写ベルト５０の周回方向（図中矢印参照）において、上流側からイエロー（Ｙ）、マゼンタ（Ｍ）、シアン（Ｃ）、及びブラック（Ｋ）のトナー画像形成部３０が、この順番で水平方向に並んで配置されている。なお、以後の説明では、イエロー（Ｙ）、マゼンタ（Ｍ）、シアン（Ｃ）、及びブラック（Ｋ）を区別する必要が無い場合は、符号に付するＹ、Ｍ、Ｃ、及びＫを省略する。
【００２２】
各色のトナー画像形成部３０は、用いるトナーを除き基本的に同様の構成されており、図４に示されるように、回転する円筒状の感光体ドラム４０と、感光体ドラム４０を帯電する帯電器４２とを備えている。さらに、トナー画像形成部３０は、帯電した感光体ドラム４０に露光光を照射して静電潜像を形成する露光装置４４と、トナーを含んだ現像剤Ｇで静電潜像をトナー画像として現像する現像装置４６とを備えている。また、各色の感光体ドラム４０は、周回する転写ベルト５０に接触している。
【００２３】
転写部３２は、図５に示されるように、複数のロール（符号省略）に巻き掛けられて図中矢印方向に周回する転写ベルト５０と、転写ベルト５０を挟んで各色の感光体ドラム４０の反対側に夫々配置される一次転写ロール５２とを備えている。この一次転写ロール５２が、感光体ドラム４０に形成されたトナー画像を転写ベルト５０に転写するようになっている。
【００２４】
さらに、転写部３２は、転写ベルト５０が巻き掛けられた補助ロール５６と、転写ベルト５０に対して補助ロール５６の反対側に配置され、転写ベルト５０上のトナー画像をシート部材Ｐに転写する転写装置８０とを備えている。なお、転写装置８０、及び補助ロール５６については詳細を後述する。
【００２５】
定着装置３４は、複数のロール（符号省略）に巻き掛けられ、加熱される定着ベルト６０と、定着ベルト６０に向けてシート部材Ｐを加圧する加圧ロール６２とを備えている。
【００２６】
上記構成による画像形成装置１０では、図４に示されるように、各色のトナー画像形成部３０で、帯電器４２が、回転する感光体ドラム４０を帯電し、露光装置４４が、帯電した感光体ドラム４０に露光光を照射して静電潜像を形成する。また、現像装置４６が、感光体ドラム４０に形成された静電潜像を現像剤Ｇでトナー画像として現像する。
【００２７】
さらに、図５に示されるように、転写部３２で、各色の一次転写ロール５２が、各色の感光体ドラム４０に形成されたトナー画像を転写ベルト５０に転写し、転写装置８０が、転写ベルト５０上のトナー画像をシート部材Ｐの表面に転写する。また、定着装置３４で、周回する定着ベルト６０と加圧ロール６２との間に、トナー画像が転写されたシート部材Ｐが挟まれることで、トナー画像がシート部材Ｐに定着される。
【００２８】
さらに、トナー画像が定着されたシート部材Ｐは、冷却部２０、矯正部２２、画像検査部２４をこの順番で通って装置の外部へ排出される。
【００２９】
一方、シート部材Ｐの裏面にトナー画像を形成する場合は、表面にトナー画像が形成されたシート部材Ｐが反転経路２６に沿って搬送されることで反転し、再度画像形成部１２でシート部材Ｐの裏面にトナー画像が形成される。
【００３０】
（要部構成）
次に、補助ロール５６、及び転写装置８０について説明する。
【００３１】
〔補助ロール〕
補助ロール５６は、図１（Ａ）に示されるように、装置奥行方向を軸方向とし、図示せぬフレーム部材に回転可能に支持され、金属製のシャフトある。そして、この補助ロール５６は、接地されている。
【００３２】
〔転写装置〕
転写装置８０は、転写ベルト５０（像保持体の一例）を挟んで補助ロール５６の反対側に配置される二次転写ロール８２（転写部材の一例）を備えている。さらに、転写装置８０は、二次転写ロール８２の表面に付着した付着物を掻き取る掻取ブレード８４（掻取部材の一例）と、掻取ブレード８４を支持する支持部材８６と、を備えている。
【００３３】
二次転写ロール８２は、装置奥行方向を軸方向とし、図示せぬフレーム部材に回転可能に支持され、金属製の軸部８２Ａと、軸部８２Ａが貫通する円筒状の弾性部８２Ｂとを備えている。
【００３４】
例えば、弾性部８２Ｂの外径は３０〔ｍｍ〕とされ、弾性部８２Ｂの装置奥行方向の長さは３６０〔ｍｍ〕とされている。そして、弾性部８２Ｂは、カーボンブラックを分散させた発泡性ポリウレタン上に、カーボンブラックを分散させたポリウレタンを被覆して形成された導電体である。
【００３５】
そして、二次転写ロール８２は、周回する転写ベルト５０に従動し、転写ベルト５０と同様の周速度で回転（周回）するようになっている。
【００３６】
本実施例においては、掻取ブレード８４は、板状とされ、厚さは２〔ｍｍ〕、装置奥行方向の長さは３３５〔ｍｍ〕、幅は１５〔ｍｍ〕とされている。また、掻取ブレード８４は、カーボンブラック等の導電性のある微粒子を分散させたポリウレタンで形成された導電体を用いることができる。なお、本実施例において、導電体とは、体積抵抗率が１０１２〔Ω・ｃｍ〕以下の材料で形成された部材を指す。
【００３７】
そして、掻取ブレード８４の先端側（図中右側）が二次転写ロール８２の外周面に接触し、掻取ブレード８４の基端側（図中左側）が支持部材８６に支持されている。
【００３８】
図１（Ｂ）に示されるように、本実施例においては、掻取ブレード８４と二次転写ロール８２との接触角度（図中角度Ｅ）は、３５度とされ、掻取ブレード８４の先端側と二次転写ロール８２との間で所定のラップ代（図中Ｆ）で食い込ませるように接触させている。これにより、掻取ブレード８４の先端側が二次転写ロール８２の外周面と接触した状態で、掻取ブレード８４の先端側は、二次転写ロール８２の径方向の外側に反っている（図中実線参照）。そして、掻取ブレード８４の先端部と板面とが、二次転写ロール８２の外周面に接触している。
【００３９】
支持部材８６は、図１（Ａ）に示されるように、金属板を折り曲げて形成され、装置奥行方向から見てＬ字状とされている。そして、支持部材８６は、掻取ブレード８４の基端側を下方から支持し、掻取ブレード８４の基端側とは接着剤を用いて固定されている。
【００４０】
〔その他〕
転写装置８０は、二次転写ロール８２に転写電圧を印加する電源９０（印加部材の一例）を備えている。これにより、二次転写ロール８２と補助ロール５６との間に電位差が生じ、転写ベルト５０上のトナー画像がシート部材Ｐに転写されるようになっている。なお、本実施形態では、トナーは負極に帯電しており、電源９０は、二次転写ロール８２に正極の転写電圧（直流電圧）を印加するようになっている。
【００４１】
さらに、電源９０は、二次転写ロール８２に印加する転写電圧と同極性で、かつ、同様の大きさの電圧を、支持部材８６を介して掻取ブレード８４に印加するようになっている。
【００４２】
（作用）
次に、要部構成の作用について説明する。
【００４３】
一次転写ロール５２によって転写ベルト５０に転写されたトナー画像は、図５に示されるように、周回する転写ベルト５０によって二次転写ロール８２に向けて搬送される。そして、転写ベルト５０上のトナー画像は、二次転写ロール８２と補助ロール５６と間で、搬送経路１６に沿って搬送されるシート部材Ｐの表面に転写される（図１（Ａ）参照）。
【００４４】
具体的には、電源９０が二次転写ロール８２に転写電圧を印加し、二次転写ロール８２と補助ロール５６との間に電位差が生じる。この電位差により、負極に帯電したトナーで形成されたトナー画像が、シート部材Ｐの表面に転写される。
【００４５】
一方、転写ベルト５０において、トナー画像と次のトナー画像との間にある非画像領域（インターイメージ）には、トナー濃度の調整等に用いる矩形状のトナーパッチが形成されている。このトナーパッチ（付着物の一例）が、二次転写ロール８２に付着する。
【００４６】
そして、二次転写ロール８２に付着したトナーパッチは、掻取ブレード８４によって掻き取られる。この場合には、シート部材Ｐの裏面にトナーパッチが付着するのが抑制される。
【００４７】
ここで、電源９０は、二次転写ロール８２に印加する転写電圧と同極性で、かつ、同様の大きさの電圧を、支持部材８６を介して掻取ブレード８４に印加する。このため、二次転写ロール８２と掻取ブレード８４とが同様の電位となり、二次転写ロール８２と掻取ブレード８４との間に静電力が発生するのが抑制される。
【００４８】
（評価）
次に、本実施形態に係る転写装置８０の実施例と、比較例とを評価した評価結果について図２に示す表を用いて説明する。
【００４９】
１．評価仕様
・実施例１：電源９０が二次転写ロール８２、及び掻取ブレード８４に印加する電圧を５００〔Ｖ〕とした。また、掻取ブレード８４に含まれるカーボンブラックの量を調整し、掻取ブレード８４の体積抵抗率を１０７〔Ω・ｃｍ〕とし、掻取ブレード８４を導電体とした。
・実施例２：電源９０が二次転写ロール８２、及び掻取ブレード８４に印加する電圧を９００〔Ｖ〕とした。また、掻取ブレード８４に含まれるカーボンブラックの量を調整し、掻取ブレード８４の体積抵抗率を１０７〔Ω・ｃｍ〕とし、掻取ブレード８４を導電体とした。
・比較例１：電源が二次転写ロールに印加する転写電圧を５００〔Ｖ〕とした。掻取ブレードには電圧を印加せず、さらに、掻取ブレードの材料として、カーボンブラックを含まないポリウレタンを用い、掻取ブレードを絶縁体とした。
・比較例２：電源が二次転写ロールに印加する転写電圧を９００〔Ｖ〕とした。掻取ブレードには電圧を印加せず、さらに、掻取ブレードの材料として、カーボンブラックを含まないポリウレタンを用い、掻取ブレードを絶縁体とした。
【００５０】
なお、前述した仕様以外の仕様については、実施例１、実施例２、比較例１、及び比較例２では同様である。
【００５１】
２．評価方法
実施例１、２、及び比較例１、２の転写装置を、富士ゼロックス社製  ７００  Ｄｉｇｉｔａｌ  Ｃｏｌｏｒ  Ｐｒｅｓｓに取り付け、シート部材Ｐにトナー画像を形成しない「白紙ジョブ」を連続して実行した。シート部材Ｐには、Ａ３サイズの富士ゼロックス社製のＪ紙を用いた。なお、掻取ブレードと二次転写ロールとの間に生じる摩擦力を低減させるために用いる潤滑剤供給装置等については、用いなかった。
【００５２】
３．評価項目・評価結果
掻取ブレードと二次転写ロールとの接触部で生じる音を聞き、異音（通常の稼働で生じない音）が発生した場合は、「白紙ジョブ」の実行を停止し、掻取ブレード、及び二次転写ロールを目視で確認した。
【００５３】
図２に示す表には、異音が発生した際のシート部材Ｐの枚数と、異音が発生した際の掻取ブレードの状態とが記載されている。
【００５４】
実施例１では、２１０，０００枚で異音が発生し、異音が発生した際に掻取ブレード８４の先端側がめくれていた（図３の破線参照）。掻取ブレード８４の先端側のめくれが異音の原因となっていた。
【００５５】
実施例２では、１５０，０００枚で異音が発生し、異音が発生した際に掻取ブレード８４の先端側がめくれていた。掻取ブレード８４の先端側のめくれが異音の原因となっていた。
【００５６】
比較例１では、２，０００枚で異音が発生し、異音が発生した際に掻取ブレード８４の先端側がめくれていた。掻取ブレードの先端側のめくれが異音の原因となっていた。
【００５７】
比較例２では、４００枚で異音が発生し、異音が発生した際に掻取ブレード８４の先端側がめくれていた。掻取ブレードの先端側のめくれが異音の原因となっていた。
【００５８】
４．考察
実施例１、２では、二次転写ロール８２と掻取ブレード８４とが同様の電位となり、二次転写ロール８２と掻取ブレード８４とが互いに引き付け合うような静電力の発生が抑制されている。このため、実施例１、２では、比較例１、２に比して、掻取ブレード８４の先端側のめくれが生じた白紙ジョブの枚数が多かった。
【００５９】
これに対して、比較例１、２では、絶縁体の掻取ブレードが用いられているため、二次転写ロールと接触している掻取ブレードの先端側の部分で誘電分極が生じていると考えられる。この誘電分極により、二次転写ロール８２と掻取ブレード８４との間に互いに引き付け合うような静電力が生じた。このため、比較例１、２では、実施例１、２に比して、掻取ブレード８４の先端側のめくれが生じた白紙ジョブの枚数が少なかった。
【００６０】
比較例２では、二次転写ロールに印加された転写電圧が９００〔Ｖ〕で、比較例１で二次転写ロールに印加された５００〔Ｖ〕と比して、大きい電圧だった。このため、比較例２で二次転写ロール８２と掻取ブレード８４との間に生じた静電力は、比較例１で生じた静電力より大きくなり、比較例２では、比較例１に比して、掻取ブレード８４の先端側のめくれが生じた白紙ジョブの枚数が少なかった。
【００６１】
（まとめ）
以上の評価結果からも分かるように、本実施形態に係る転写装置８０では、二次転写ロール８２と掻取ブレード８４とを同様の電位とすることで、二次転写ロール８２と掻取ブレード８４との間に静電力が発生するのが抑制される。このため、掻取ブレード８４が二次転写ロール８２に接触することに起因して生じる掻取ブレード８４のめくれ等の損傷の発生が遅れた。
【００６２】
また、掻取ブレード８４のめくれ等の損傷の発生が遅れることで、二次転写ロール８２に付着した付着部材に対する掻取ブレード８４の掻取性能の低下が抑制される。
【００６３】
また、二次転写ロール８２と掻取ブレード８４とを同様の電位とすることで、二次転写ロール８２と掻取ブレード８４との間で電流（リーク電流）が流れるのが抑制され、二次転写ロール８２と補助ロール５６との間に生じる電位差が変化するのが抑制される。
【００６４】
また、二次転写ロール８２に転写電圧を印加する電源９０を用いて掻取ブレード８４に電圧を印加している。このため、掻取ブレード８４に電圧を印加する専用の部材を備える場合と比して、部品点数が削減される。
【００６５】
また、画像形成装置１０では、掻取ブレード８４の掻取性能の低下が抑制されることで、シート部材Ｐの裏面が二次転写ロール８２に付着した付着物によって汚れるのが抑制される。
【００６６】
また、画像形成装置１０では、二次転写ロール８２と補助ロール５６との間に生じる電位差が変化するのが抑制されることで、転写ベルト５０上からシート部材Ｐの表面に転写されるトナー画像の品質が低下するのが抑制される。
【００６７】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、電源９０を用いて掻取ブレード８４に電圧を印加したが、他の電源等を用いて掻取ブレード８４に電圧を印加してもよい。
【００６８】
また、上記実施形態では、二次転写ロール８２に印加する転写電圧と同様の大きさの電圧を、掻取ブレード８４に印加したが、掻取ブレードが絶縁体である場合と比して、二次転写ロール８２と掻取ブレード８４との間に静電力が発生するのが抑制されればよく、電圧の大きさが異なっていてもよい。
【００６９】
また、上記実施形態では、二次転写ロール８２に印加する電圧と同様の大きさの電圧が、掻取ブレード８４に印加されたが、掻取ブレード８４に印加される電圧の絶対値が、二次転写ロール８２に印加される転写電圧の絶対値以下であってもよい。これにより、掻取ブレード８４に印加される電圧の絶対値が転写電圧の絶対値より大きい場合と比して、二次転写ロール８２と補助ロール５６との間の電位差が変化するのが抑制される。つまり、出力画像の品質が安定する。
【００７０】
また、上記実施形態では、転写ベルト５０上のトナー画像をシート部材Ｐに転写するために転写装置８０を用いたが、感光体ドラム４０に形成されたトナー画像を直接シート部材Ｐに転写する直接転写方式に転写装置８０を用いてもよい。
【００７１】
また、上記実施形態では、転写部材として二次転写ロール８２を用いて説明したが、転写ベルトであってもよい。
【００７２】
また、上記実施形態では、掻取ブレード８４のめくれ等の損傷の発生が遅れたが、掻取ブレード又は二次転写ロールの材質が本実施形態と異なる場合には、掻取ブレードを導電体として掻取ブレードに電圧を印加することで二次転写ロールの損傷の発生が遅れることがある。
【００７３】
また、掻取ブレードを導電体とし、掻取ブレードに電圧を印加しない場合には、二次転写ロールと掻取ブレードとの間に電流が流れるため、二次転写ロールと補助ロールとの間の電位差が変化してしまう。
【符号の説明】
【００７４】
１０        画像形成装置
５０        転写ベルト（像保持体）
８０        転写装置
８２        二次転写ロール（転写部材の一例）
８４        掻取ブレード（掻取部材の一例）
９０        電源（印加部材の一例）
【図１】
2016057394.tif 000003
【図２】
2016057394.tif 000004
【図３】
2016057394.tif 000005
【図４】
2016057394.tif 000006
【図５】
2016057394.tif 000007